(57)【要約】【課題】受信信号に複数の埋込情報が混合する場合でも、適切な埋込情報を取り出すことが出来る音響信号形成装置、音響受信装置、および音響システムを提供する。【解決手段】音響システムは、放送音に埋め込まれている埋込情報を音響受信装置に取得させる音響システムであって、放送音には、放送源ごとに異なる拡散符号に基づいて、埋込情報が埋め込まれる。【選択図】図６
2020174224.tif 000002
【特許請求の範囲】
【請求項１】
放送音に埋め込まれている埋込情報を音響受信装置に取得させる音響システムであって、
前記放送音には、放送源ごとに異なる拡散符号に基づいて、前記埋込情報が埋め込まれる、
音響システム。
【請求項２】
放送音を受信する受信部と、
前記放送音から埋込情報を取り出す抽出部と、
放送源に割り当てられる符号であって前記放送音から埋込情報を取り出すときに用いられる拡散符号を記憶する記憶部とを備え、
前記抽出部は、前記放送音から前記拡散符号に基づいて前記埋込情報を取り出す、
音響受信装置。
【請求項３】
前記記憶部は、前記拡散符号の難読化処理によって形成された難読ファイルを記憶し、前記抽出部は、前記難読ファイルを復号することによって前記拡散符号を取得する
請求項２に記載の音響受信装置。
【請求項４】
前記難読ファイルは、前記難読ファイルのエラーを検査するためのチェックデジットを含む
請求項３に記載の音響受信装置。
【請求項５】
音声信号を取得する第１取得部と、
埋込情報を取得する第２取得部と、
放送源ごとに異なる符号であって放送音に埋込情報を埋め込むときに用いられる拡散符号を記憶する記憶部と、
前記拡散符号に基づいて前記埋込情報を前記音声信号に埋め込む埋込部とを備える
音響信号形成装置。
【請求項６】
前記記憶部は、前記拡散符号の難読化処理によって形成された難読ファイルを記憶し、
前記埋込部は、前記難読ファイルを復号することによって前記拡散符号を取得する
請求項５に記載の音響信号形成装置。
【請求項７】
前記難読ファイルは、前記難読ファイルのエラーを検査するためのチェックデジットを含む
請求項６に記載の音響信号形成装置。
【発明の詳細な説明】
【技術分野】
【０００１】
本発明は、音声とともに情報を伝える音響信号形成装置、音響受信装置、および音響システムに関する。
【背景技術】
【０００２】
音響システムとして、特許文献１に記載の技術が知られている。同特許文献１に記載の音響システムは、識別情報を音響信号とともに放送し、この放送を受音（受信）した音響受信装置(携帯端末)は、放送音から識別情報を抽出してその識別情報に関連する情報をユーザーに提示する、ということを行う。
【先行技術文献】
【特許文献】
【０００３】
【特許文献１】特開２０１２−２２７９２１号公報
【発明の概要】
【発明が解決しようとする課題】
【０００４】
ところで、複数の放送源から放送が聞こえる場合、上記の受信装置はそれぞれから音響信号を受信することになる。そうすると、受信信号には、複数の識別情報（埋込情報）が混合することになり、受信信号から適切な識別情報を取り出せない虞がある。
【０００５】
そこで、受信信号に複数の埋込情報が混合する場合でも、適切な埋込情報を取り出すことが出来る音響信号形成装置、音響受信装置、および音響システムを提供する。
【課題を解決するための手段】
【０００６】
（１）上記課題を解決する音響システムは、放送音に埋め込まれている埋込情報を音響受信装置に取得させる音響システムであって、前記放送音には、放送源ごとに異なる拡散符号に基づいて、前記埋込情報が埋め込まれる。
【０００７】
上記構成によれば、埋込情報は、拡散符号に基づいて放送音に埋め込まれる。放送音に埋め込まれた埋込情報は、埋め込みに用いられた拡散符号によって抽出されるが、埋め込みに用いられていない拡散符号では、放送音に埋め込まれた埋込情報が抽出されない。さらに、上記構成では、拡散符号は、放送源ごとに異なる。したがって、複数の放送音が同一空間に伝播する場合でも、埋込情報の取り出しのときに所定の拡散符号が用いられることによって、所定の埋込情報だけを取り出すことができる。このようにして、埋込情報の混合を抑制できる。すなわち、複数の放送音が同一空間に伝播するとき、受信信号に複数の埋込情報が混合するが、このような場合でも、適切な埋込情報を取り出することが出来る。
【０００８】
（２）上記課題を解決する音響受信装置は、放送音を受信する受信部と、前記放送音から埋込情報を取り出す抽出部と、放送源に割り当てられる符号であって前記放送音から埋込情報を取り出すときに用いられる拡散符号を記憶する記憶部とを備え、前記抽出部は、前記放送音から前記拡散符号に基づいて前記埋込情報を取り出す。この構成によれば、放送源ごとに個別の拡散符号が割り当てられるため、埋込情報の混合を抑制できる。
【０００９】
（３）上記音響受信装置において、前記記憶部は、前記拡散符号の難読化処理によって形成された難読ファイルを記憶し、前記抽出部は、前記難読ファイルを復号することによって前記拡散符号を取得する。この構成によれば、拡散符号を秘密にできる。
【００１０】
（４）上記音響受信装置において、前記難読ファイルは、前記難読ファイルのエラーを検査するためのチェックデジットを含む。この構成によれば、難読ファイルのエラーを検出できる。
【００１１】
（５）上記課題を解決する音響信号形成装置であって、音声信号を取得する第１取得部と、埋込情報を取得する第２取得部と、放送源ごとに異なる符号であって放送音に埋込情報を埋め込むときに用いられる拡散符号を記憶する記憶部と、前記拡散符号に基づいて前記埋込情報を前記音声信号に埋め込む埋込部とを備える。この構成によれば、放送源ごとに異なる拡散符号に基づいて埋込情報が放送音に埋め込められるため、埋込情報の混合を抑制できる。
【００１２】
（６）上記音響信号形成装置において、前記記憶部は、前記拡散符号の難読化処理によって形成された難読ファイルを記憶し、前記埋込部は、前記難読ファイルを復号することによって前記拡散符号を取得する。この構成によれば、拡散符号を秘密にできる。
【００１３】
（７）上記音響信号形成装置において、前記難読ファイルは、前記難読ファイルのエラーを検査するためのチェックデジットを含む。この構成によれば、難読ファイルのエラーを検出できる。
【発明の効果】
【００１４】
音響信号形成装置、音響受信装置、および音響システムは、埋込情報の混合を抑制できる。
【図面の簡単な説明】
【００１５】
【図１】音響システムの模式図。
【図２】管理事業者と放送源との関係を示す関係図。
【図３】音響受信装置のブロック図。
【図４】埋込情報と提供情報とを関係づける表。
【図５】音響信号形成装置のブロック図。
【図６】放送源と拡散符号と音声信号と埋込情報との関係を示す表。
【発明を実施するための形態】
【００１６】
図１〜図６を参照して、音響システムについて説明する。
音響システム１は、放送音ＡＳに埋め込まれている埋込情報ＳＣを音響受信装置１０に取得させる。放送音ＡＳには、放送源ＣＢごとに異なる拡散符号ＳＤに基づいて、埋込情報ＳＣが埋め込まれる。本実施形態では、埋込情報ＳＣは、放送源ＣＢの放送と関係づけられる提供情報と対応づけられている。音響受信装置１０は、埋込情報ＳＣを取得し、埋込情報ＳＣに基づいて放送源ＣＢの放送と関係づけられる提供情報を取得する。
【００１７】
図１に示されるように、利用者は、音響受信装置１０（後述参照）によって放送音ＡＳを受信する。例えば、利用者は、音響受信装置１０によって、駅のスピーカー２ａから放送される第１の放送源ＣＢの放送音ＡＳを受信したり、店舗内のスピーカー２ｂから出される第２の放送源ＣＢの放送音ＡＳを受信したりする。音響受信装置１０として、例えば、携帯電話、スマートフォン、ノートパソコンが挙げられる。音響受信装置１０は、放送音ＡＳに埋め込まれた埋込情報ＳＣに基づいて、放送源ＣＢの放送と関係づけられる提供情報を取得する。このようにして、音響受信装置１０を利用する利用者は、放送源ＣＢの放送と関係づけられる提供情報を受け取ることができる。
【００１８】
放送源ＣＢは、後述の拡散符号ＳＤが割り当てられる団体または個人が提供するサービスに関する情報を管理し、供給する機器である。なお、１つの事業者に、複数の放送源ＣＢが含まれてもよい。例えば、店舗を運営する事業者の各部署毎に放送源ＣＢがあってもよい。
【００１９】
提供情報は、放送源ＣＢの放送に関係づけられる情報である。提供情報の保存場所は限定されない。一例では、提供情報は、インターネットＩＮ上のサーバに記憶される。他の例では、提供情報は、音響受信装置１０に記憶される。提供情報の例を次に挙げる。店舗運営で用いられる放送源ＣＢの場合、提供情報は、店舗内の商品の詳細内容である。放送源ＣＢが自治体で用いられる場合、提供情報は、災害時に避難する場所を示す地図である。放送源ＣＢが展示を運営する事業者で用いられる場合、提供情報は、展示品の詳細を示す情報である。提供情報は、詳細な情報が保存されている場所を示すリンク情報（例えば、ＵＲＬ：Uniform Resource Locator）であってもよい。本実施形態では、提供情報は、インターネットＩＮ上のＵＲＬとして利用者の音響受信装置１０に出力される（図４参照）。
【００２０】
放送源ＣＢごとに１つの拡散符号ＳＤが割り当てられる。拡散符号ＳＤは、放送源ＣＢと一対一の関係で対応付けられる。すなわち、放送源ＣＢが有する拡散符号ＳＤは、他の放送源ＣＢが有する拡散符号ＳＤのいずれとも異なる。１つの事業者に複数の拡散符号ＳＤに割り当てられてもよい。この場合、１つの事業者内に、１つの拡散符号ＳＤを有する複数の放送源ＣＢが存在する。
【００２１】
放送音ＡＳは、可聴域の周波数を含む音波である。放送音ＡＳには、埋込情報ＳＣが電子透かしによって埋め込められる。放送音ＡＳは、放送装置から放送される。放送音ＡＳの例として、アナウンス、警報、一般用または視力障害者用の音サイン、ＢＧＭ（バックグラウンドミュージック）、美術館や展示会において出力される説明の音声、番組の放送が挙げられる。
【００２２】
埋込情報ＳＣは、提供情報に対応付けられる情報である。埋込情報ＳＣは、放送音ＡＳに埋め込まれる。本実施形態では、埋込情報ＳＣは、放送源ＣＢの放送に関係づけられる提供情報とリンクづける識別情報である（図４参照）。
【００２３】
拡散符号ＳＤは、上述のとおり放送源ＣＢに割り当てられる符号である。拡散符号ＳＤは、放送音ＡＳから埋込情報ＳＣを取り出すときに使われる。埋め込み方法は限定されない。例えば、埋込情報ＳＣは、エコー拡散法またはスペクトラム拡散法によって放送音ＡＳに埋め込められる。本実施形態では、埋込情報ＳＣは、エコー拡散法によって放送音ＡＳに埋め込められる。拡散符号ＳＤは、埋込情報ＳＣが埋め込められた放送音ＡＳから、埋込情報ＳＣを取り出す際にも用いられる。埋込情報ＳＣが埋め込められた放送音ＡＳから埋込情報ＳＣを取り出すときには、放送音ＡＳに埋込情報ＳＣを埋め込む際に用いられる拡散符号ＳＤと同一の拡散符号ＳＤが用いられる。
【００２４】
拡散符号ＳＤは、複数の放送源ＣＢに対して異なるように割り当てられる符号であれば、どのような符号であってもよい。例えば、拡散符号ＳＤとして、ＰＮ（Pseudo Noise）符号が用いられる。
【００２５】
拡散符号ＳＤは、難読化されることが好ましい。拡散符号ＳＤが他人に知られると、悪意によって、改竄される虞があるからである。例えば、音響受信装置１０において、埋込情報ＳＣを取り出す際に用いられる拡散符号ＳＤが改竄されると、放送音ＡＳから埋込情報ＳＣが取り出すことが出来なくなる。
【００２６】
一例では、拡散符号ＳＤは、難読化処理によって、読み取られ難いように難読化される。本実施形態では、拡散符号ＳＤが難読化処理によって形成されたファイルを「難読ファイルＦＡ」と呼ぶ。難読化処理は、拡散符号ＳＤを難読化コードに変換することを示す。難読化コードの変換は、各種の難読化コードを作成するソフトを使うことによって行われる。
【００２７】
難読ファイルＦＡは、チェックデジットを含むことが好ましい。チェックデジットは、難読ファイルＦＡのエラーを検出するためのコードである。拡散符号ＳＤの使用のときには、チェックデジットによって難読ファイルＦＡのエラーが検査され、エラーがないときに難読ファイルＦＡが復号アプリケーションによって復号され、復号された情報から拡散符号ＳＤが取り出される。
【００２８】
難読ファイルＦＡは、１つの管理事業者ＣＡによって管理されることが好ましい。管理事業者ＣＡは、１つの事業体であってもよいし、複数の事業体が参加するコンソーシアムであってもよい。
【００２９】
図２に示されるように、一例では、管理事業者ＣＡは、難読ファイルＦＡを放送源ＣＢに割り当てる。これによって、放送源ＣＢごとに個別の拡散符号ＳＤが割り当てられることになる。また、管理事業者ＣＡは、難読ファイルＦＡとともに、難読ファイルＦＡを復号できる復号アプリケーションを提供することが好ましい。管理事業者ＣＡは、放送音ＡＳに埋込情報ＳＣを埋め込むための音響形成アプリケーションを放送源ＣＢにインストールしてもよい。
【００３０】
図３および図４を参照して、音響受信装置１０について説明する。
音響受信装置１０は、放送音ＡＳを受信する受信部１１と、放送音ＡＳから埋込情報ＳＣを取り出す抽出部１２と、記憶部１３とを備える。
【００３１】
記憶部１３は、拡散符号ＳＤを記憶する。本実施形態では、記憶部１３は、難読ファイルＦＡを記憶する。また、記憶部１３は、参照表（図４参照）を記憶する。参照表は、埋込情報ＳＣと提供情報とを対応付ける表である。好ましくは、音響受信装置１０は、さらに情報取得部１４を備える。
【００３２】
抽出部１２は、埋込情報ＳＣが埋め込められた放送音ＡＳから拡散符号ＳＤに基づいて埋込情報ＳＣを取り出す。
抽出部１２は、難読ファイルＦＡを復号することによって拡散符号ＳＤを取得する。好ましくは、難読ファイルＦＡは、上述のように、チェックデジットを含む。この場合、抽出部１２は、チェックデジットに基づいて前記難読ファイルＦＡをチェックする。
【００３３】
抽出部１２は、音響受信装置１０にインストールされる復号アプリケーションと、音響受信装置１０の演算装置とによって構成される。復号アプリケーションは、チェック部と、復号部と、デコード部とを含む。
【００３４】
チェック部は、難読ファイルＦＡにエラーが含まれているか否かをチェックする。
復号部は、難読ファイルＦＡを復号し、復号された難読ファイルＦＡから拡散符号ＳＤを取り出す。デコード部は、拡散符号ＳＤに基づいて放送音ＡＳから埋込情報ＳＣを取り出す。エコー拡散法によって埋込情報ＳＣが埋め込まれている場合、デコード部は、放送音ＡＳをケプストラム変換し、ケプストラム変換後の信号と拡散符号ＳＤとの相関とを取ることによって、埋込情報ＳＣを取り出す。
【００３５】
情報取得部１４は、図４に示される参照表を参照して埋込情報ＳＣに対応付けられる提供情報を取得する。具体的には、情報取得部１４は、情報取得アプリケーションと、音響受信装置１０の演算装置とによって構成される。情報取得アプリケーションは、参照表から埋込情報ＳＣに対応する提供情報を取得する。
【００３６】
参照表は、放送源ＣＢごとに作成される。すなわち、図４に示されるように、参照表は、拡散符号ＳＤごとに作成される。参照表における埋込情報ＳＣとしての識別番号と提供情報との対応付けは、放送源ＣＢによって設定される。一例では、災害警報として複数の放送音ＡＳ（例えば、津波警報、波浪警報、地震警報）があり、災害それぞれに対して提供情報（例えば、各災害に対応する避難場所を示すＵＲＬ）が設定される場合、放送音ＡＳと埋込情報ＳＣとしての識別番号と提供情報とは次のように関係づけられる。放送音ＡＳそれぞれに異なる識別番号が埋め込められる。識別番号と提供情報とは参照表によって対応付けられる。この構成によって、各種の放送音ＡＳのそれぞれは、埋込情報ＳＣを介して、提供情報と対応づけられる。
【００３７】
図５を参照して、音響信号形成装置２０について説明する。
音響信号形成装置２０は、上述の音響システム１において用いられる放送音ＡＳを形成する。放送音ＡＳは、放送源ＣＢごとに異なる拡散符号ＳＤに基づいて埋込情報ＳＣが埋め込まれている信号である。一例では、音響信号形成装置２０は、放送音ＡＳを音ファイルとして他の装置に出力する。音響信号形成装置２０は、放送音ＡＳを音波として出力する装置に内蔵されてもよい。例えば、音響信号形成装置２０は、放送装置内に内蔵される。
【００３８】
音響信号形成装置２０は、音声信号ＢＳを取得する第１取得部２１と、埋込情報ＳＣを取得する第２取得部２２と、拡散符号ＳＤを記憶する記憶部２３と、拡散符号ＳＤに基づいて埋込情報ＳＣを音声信号ＢＳに埋め込む埋込部２４とを備える。
【００３９】
記憶部２３は、拡散符号ＳＤの難読化処理によって形成された難読ファイルＦＡを記憶する。好ましくは、難読ファイルＦＡは、上述のように、チェックデジットを含む。記憶部２３は、音声信号ＢＳを記憶してもよい。
【００４０】
埋込部２４は、難読ファイルＦＡを復号することによって拡散符号ＳＤを取得する。好ましくは、埋込部２４は、チェックデジットに基づいて難読ファイルＦＡをチェックする。埋込部２４は、音響信号形成装置２０にインストールされる埋込アプリケーションと、音響信号形成装置２０の演算装置とによって構成される。埋込アプリケーションは、チェック部と、復号部と、エンコード部とを含む。
【００４１】
チェック部は、難読ファイルＦＡにエラーが含まれているか否かをチェックする。復号部は、難読ファイルＦＡを復号し、復号された難読ファイルＦＡから拡散符号ＳＤを取り出す。エンコード部は、拡散符号ＳＤに基づいて音声信号ＢＳに埋込情報ＳＣを埋め込む。エコー拡散法によって埋込情報ＳＣを埋め込む場合、エンコード部は、拡散符号ＳＤによって埋込情報ＳＣを時間領域で拡散したカーネルを形成して、カーネルを音声信号ＢＳに埋め込む。エンコード部は、埋込情報ＳＣとしてのカーネルが埋め込まれた音声信号ＢＳを放送音ＡＳとして出力する。
【００４２】
図６を参照して、放送源ＣＢと、拡散符号ＳＤと、音声信号ＢＳと、埋込情報ＳＣとの関係を説明する。
図６に示されるように、１つの放送源ＣＢに１つの拡散符号ＳＤが割り当てられる。音声信号ＢＳは、放送源ＣＢによって設定される。１つの放送源ＣＢが使用する複数の音声信号ＢＳについて、これらの音声信号ＢＳの情報の埋め込みには、１つの拡散符号ＳＤが用いられる。音声信号ＢＳのそれぞれに対して個別の埋込情報ＳＣが埋め込められる。なお、異なる音声信号ＢＳに、同じ埋込情報ＳＣが埋め込められてもよい。
【００４３】
埋込情報ＳＣとしての識別番号は、予め定められた範囲内で設定される。例えば、識別番号は、１６ビットの符号列によって表される。この場合、放送源ＣＢは、約６４Ｋ個の識別番号を使うことができる。
【００４４】
本実施形態の作用を説明する。
放送音ＡＳに埋め込まれる埋込情報ＳＣは、いずれの放送源ＣＢにおいても、１６ビットの符号列によって表される識別番号（埋込情報ＳＣ）が用いられる。したがって、複数の放送源ＣＢが、同じ識別番号（埋込情報ＳＣ）を用いる場合も想定される。このような場合でも、１つの放送源ＣＢが使用できる拡散符号ＳＤは、他の放送源ＣＢが使用する拡散符号ＳＤのいずれとも異なる。このため、所定の拡散符号ＳＤによって放送音ＡＳからデコードすることによって、所定の拡散符号ＳＤによって埋め込められた埋込情報ＳＣだけを取り出すことが出来る。すなわち、特定の放送源ＣＢが埋め込んだ埋込情報ＳＣだけを取得できる。このように、複数の放送源ＣＢが、同じ識別番号（埋込情報ＳＣ）を使用したとしても、放送音ＡＳを受ける受側において、識別番号（埋込情報ＳＣ）が混合することが抑制される。
【００４５】
本実施形態の効果を説明する。
（１）音響システム１は、放送音ＡＳに埋め込まれている埋込情報ＳＣを音響受信装置１０に取得させるシステムである。放送音ＡＳには、放送源ＣＢごとに異なる拡散符号ＳＤに基づいて、埋込情報ＳＣが埋め込まれる。
【００４６】
上記構成によれば、埋込情報ＳＣは、拡散符号ＳＤに基づいて放送音ＡＳに埋め込まれる。放送音ＡＳに埋め込まれた埋込情報ＳＣは、埋め込みに用いられた拡散符号ＳＤによって抽出されるが、埋め込みに用いられていない拡散符号ＳＤでは、放送音ＡＳに埋め込まれた埋込情報ＳＣが抽出されない。さらに、上記構成では、拡散符号ＳＤは、放送源ＣＢごとに異なる。したがって、複数の放送音ＡＳが同一空間に伝播する場合でも、埋込情報ＳＣの取り出しのときに所定の拡散符号ＳＤが用いられることによって、所定の放送源ＣＢの埋込情報ＳＣだけを取り出すことができる。このようにして、埋込情報ＳＣの混合を抑制できる。すなわち、複数の放送音ＡＳが同一空間に伝播するとき、受信信号に複数の埋込情報ＳＣが混合するが、このような場合でも、適切な埋込情報を取り出することが出来る。
【００４７】
（２）音響受信装置１０は、受信部１１と、放送音ＡＳから埋込情報ＳＣを取り出す抽出部１２と、拡散符号ＳＤを記憶する記憶部１３とを備える。拡散符号ＳＤは、放送源ＣＢごとに割り当てられる。抽出部１２は、放送音ＡＳから、拡散符号ＳＤに基づいて埋込情報ＳＣを取り出す。この構成によれば、放送源ＣＢごとに個別の拡散符号ＳＤが割り当てられるため、埋込情報ＳＣの混合を抑制できる。
【００４８】
（３）音響受信装置１０の記憶部１３は、拡散符号ＳＤの難読化処理によって形成された難読ファイルＦＡを記憶する。抽出部１２は、難読ファイルＦＡを復号することによって拡散符号ＳＤを取得する。この構成によれば、拡散符号ＳＤを秘密にできる。
【００４９】
（４）難読ファイルＦＡは、難読ファイルＦＡのエラーを検査するためのチェックデジットを含む。この構成によれば、難読ファイルＦＡのエラーを検出できる。
（５）音響信号形成装置２０は、音声信号ＢＳを取得する第１取得部２１と、埋込情報ＳＣを取得する第２取得部２２と、拡散符号ＳＤを記憶する記憶部２３と、拡散符号ＳＤに基づいて埋込情報ＳＣを音声信号ＢＳに埋め込む埋込部２４とを備える。拡散符号ＳＤは、放送源ＣＢごとに異なる。この構成によれば、放送源ＣＢごとに異なる拡散符号ＳＤに基づいて埋込情報ＳＣが放送音ＡＳに埋め込められるため、埋込情報ＳＣの混合を抑制できる。
【００５０】
（６）音響信号形成装置２０において、記憶部２３は、拡散符号ＳＤの難読化処理によって形成された難読ファイルＦＡを記憶する。埋込部２４は、難読ファイルＦＡを復号することによって拡散符号ＳＤを取得する。この構成によれば、拡散符号ＳＤを秘密にできる。
【００５１】
（７）上記音響信号形成装置２０において、難読ファイルＦＡは、難読ファイルＦＡのエラーを検査するためのチェックデジットを含む。この構成によれば、難読ファイルＦＡのエラーを検出できる。
【００５２】
＜その他の実施形態＞
本実施形態は、以下のように変更して実施することができる。本実施形態及び以下の変更例は、技術的に矛盾しない範囲で互いに組み合わせて実施することができる。
【００５３】
・上記実施形態では、１つの音声信号ＢＳに１つの埋込情報ＳＣが埋め込められているが、１つの音声信号ＢＳに複数の埋込情報ＳＣが埋め込まれてもよい。
・上記実施形態では、１つの放送源ＣＢに１つの拡散符号ＳＤが割り当てられるが、複数の事業者に１つの拡散符号ＳＤが割り当てられてもよい。この場合、本技術においては、複数の事業者は、共通の１つの拡散符号ＳＤを用いることから、１つの放送源ＣＢと見做される。
【符号の説明】
【００５４】
ＡＳ…放送音、ＢＳ…音声信号、ＣＡ…管理事業者、ＣＢ…放送源、ＦＡ…難読ファイル、ＩＮ…インターネット、ＳＣ…埋込情報、ＳＤ…拡散符号、１…音響システム、２ａ…スピーカー、２ｂ…スピーカー、１０…音響受信装置、１１…受信部、１２…抽出部、１３…記憶部、１４…情報取得部、２０…音響信号形成装置、２１…第１取得部、２２…第２取得部、２３…記憶部、２４…埋込部。
【図１】
2020174224.tif 000003
【図２】
2020174224.tif 000004
【図３】
2020174224.tif 000005
【図４】
2020174224.tif 000006
【図５】
2020174224.tif 000007
【図６】
2020174224.tif 000008
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
放送源から出される放送音を受信する受信部と、
前記放送音から埋込情報を取り出す抽出部と、
難読ファイルを記憶する記憶部とを備え、
前記難読ファイルは、放送源ごとに割り当てられて前記放送源ごとに異なる符号であって前記放送音から埋込情報を取り出すときに用いられる拡散符号を難読化処理することによって形成されたファイルであり、
前記抽出部は、前記難読ファイルを復号することによって前記拡散符号を取得し、取得した前記拡散符号に基づいて前記放送音から前記埋込情報を取り出す
音響受信装置。
【請求項２】
前記難読ファイルは、前記難読ファイルのエラーを検査するためのチェックデジットを含む
請求項１に記載の音響受信装置。
【請求項３】
放送源に設けられる音響信号形成装置であって、
音声信号を取得する第１取得部と、
埋込情報を取得する第２取得部と、
難読ファイルを記憶する記憶部と、
前記埋込情報を前記音声信号に埋め込む埋込部とを備え、
前記難読ファイルは、前記放送源ごとに割り当てられて前記放送源ごとに異なる符号であって前記音声信号に前記埋込情報を埋め込むときに用いられる拡散符号を難読化処理することによって形成されたファイルであり、
前記埋込部は、前記難読ファイルを復号することによって前記拡散符号を取得し、取得された前記拡散符号に基づいて前記埋込情報を前記音声信号に埋め込む
音響信号形成装置。
【請求項４】
前記難読ファイルは、前記難読ファイルのエラーを検査するためのチェックデジットを含む
請求項３に記載の音響信号形成装置。
【請求項５】
請求項３または４に記載の音響信号形成装置を備える放送源を備え、
前記放送源から放送される放送音に埋め込まれている埋込情報を音響受信装置に取得させる
音響システム。